(57)【要約】  高速投入装置は各電路区分毎に設置することが、設備復旧、復電の迅速化による全体の操業ロス低減に有効であるが、高速投入装置を各電路区分毎に設置するためには、スイッチギヤなどの装置内で電路側通電導体の配置およびその絶縁空間距離の確保、接地側導体の配置に加え、高速投入装置の迅速な取り替えのための作業エリヤも含めてのスペース確保が必要で、スイッチギヤなどの装置が大型となる。遮断器（３）が繋がる電路にアーク事故が発生したとき、投入してアーク電流を迂回させて接地導体に流すことで事故電路部のアークを消滅させる高速投入装置(３ｂ)を、上記遮断器（３）の遮断部のいずれか片側極または両極に接続し、その極電路の絶縁支持物（３ｂ１）に組み込んで、全体を引き出し形とし、要所の電路区分対応に組み込んだスイッチギヤ（３００）で受配電設備を構成した。
2015178160.tif 000002
【特許請求の範囲】
【請求項１】
遮断器が繋がる電路にアーク事故が発生したとき、投入してアーク電流を迂回させて接地導体に流すことで事故電路部のアークを消滅させ、取り替えを要する高速投入装置を、上記遮断器の遮断部のいずれか片側極または両極に接続し、その極電路の絶縁支持物に組み込んで、全体を引き出し形としたことを特徴とするアークエリミネータ付遮断器。
【請求項２】
上記高速投入装置が上記絶縁支持物に一体注型してあることを特徴とする請求項１に記載のアークエリミネータ付遮断器。
【請求項３】
上記絶縁支持物を注型または成型で製作された絶縁ケース状部品として形成し、上記高速投入装置が上記絶縁ケース状部品として形成された上記絶縁支持物に組み込まれたことを特徴とする請求項１に記載のアークエリミネータ付遮断器。
【請求項４】
上記絶縁支持物を注型または成型で製作された絶縁ケース状部品として形成し、上記高速投入装置が上記絶縁ケース状部品として形成された上記絶縁支持物と着脱可能に組み立てされるとともに、上記高速投入装置は上記遮断器の電路導体部との通電接続部が差込形式で構成され、上記絶縁ケース状部品として形成された上記絶縁支持物を上記遮断器に固着した状態で上記高速投入装置の取り換えができるよう構成したことを特徴とする請求項１に記載のアークエリミネータ付遮断器。
【請求項５】
遮断器が繋がる電路にアーク事故が発生したとき、投入してアーク電流を迂回させて接地導体に流すことで事故電路部のアークを消滅させ、取り替えを要する高速投入装置を、上記遮断器の遮断部のいずれか片側極または両極に接続し、その極電路の絶縁支持物に組み込んで、全体を引き出し形としたアークエリミネータ付遮断器を、要所の電路区分対応に組み込んだスイッチギヤで構成した受配電設備。
【請求項６】
母線部のスイッチギヤを上記高速投入装置が上記遮断器の遮断部の両極に接続された両側形のアークエリミネータ付遮断器で構成し、その他のスイッチギヤは上記高速投入装置が上記遮断器の遮断部のいずれか片側極に接続された片側形のアークエリミネータ付遮断器で構成したことを特徴とする請求項５に記載の受配電設備。
【請求項７】
母線部のスイッチギヤ及びその他のスイッチギヤを上記高速投入装置が上記遮断器の遮断部の両極に接続された両側形のアークエリミネータ付遮断器で構成したことを特徴とする請求項５に記載の受配電設備。
【発明の詳細な説明】
【技術分野】
【０００１】
本発明は、低電圧、中電圧、高電圧スイッチギヤ内で発生した地絡や短絡などのアーク事故時に、事故が発生している電路を速やかに接地し事故電流を大地へ流すことができるアークエリミネータ（事故アーク除去装置）を搭載した遮断器とそれを適用した受配電設備に関するものである。
【背景技術】
【０００２】
低電圧または中電圧、あるいは高電圧の受配電設備は、ビルや工場など電力需給の社会的インフラとして欠くことのできない設備システムであり、その安全性、信頼性は、製造メーカはもちろんのこと、据付工事や運転保守の全般に亘り十分に配慮されたものである。しかし、極めて稀であるが、予期しない小動物や異物の侵入、経年使用による絶縁劣化、あるいは想定を超えた巨大地震での機器損傷などで、電路の絶縁機能が損なわれることによって、地絡、短絡などの事故故障が発生する場合がある。【０００３】
特にスイッチギヤなど閉鎖装置の内部短絡故障では、大電流アークの発生で、アーク近傍は１０，０００〜２０，０００℃程度のプラズマ状態になるため、周辺の金属や絶縁物が一部蒸気化され、アーク周辺の空気などの絶縁気体は瞬時に膨張して装置内部は極めて高い圧力となるが、スイッチギヤなどで放圧装置を設けているものでは約１０ミリ秒程度で、その蒸気化した金属ガスや絶縁物分解ガスと共に、高圧の絶縁ガスも安全な方向で装置外部へ一気に放圧し、スイッチギヤの破壊を防止するようにしてある。
その後も故障が継続している限り、大電流アークが継続して発生しているので、周辺の導体や筐体など金属をさらに溶融し蒸気化して装置などへの被害損傷が拡大する。メタルクラッド形スイッチギヤのようにスイッチギヤ内部で各電路区画ごとに金属遮蔽板で区分されたものでも、事故アークの継続時間が長い場合には、金属隔壁が変形や溶融などで損傷区画や損傷スイッチギヤの範囲が拡大し大きな被害になる。【０００４】
こうした受配電システムでの故障の除去は、通常は電路の保護用に設けてある電力用遮断器が行うように設計されているが、故障検出から遮断器の動作で故障電路を電源から切り離して、設備装置のアーク故障を除去できる時間は少なくとも１００ミリ秒程度以上かかるため、その時間までに、故障が発生している装置は、殆ど再使用できない程度の大幅な損傷を受けて、受配電システムの復旧に多大な期間が必要で、その間は電力の供給が出来ない状態となる。また、復旧に要する費用も甚大なものとなる。
したがって、損傷を最小限に制限し、事故故障後の設備復旧期間を最小化するためには、アーク故障継続時間を短くすることが有効である。【０００５】
特許文献１は、アーク事故発生後の数ミリ秒という極めて短時間の間に、故障電流をアーク回路よりはるかにインピーダンスが低い接地通電回路を介して大地に迂回通電することで、事故発生箇所のアークを超短時間で消滅させるものであり、これを適用するシステムが紹介されている。
また、非特許文献１は、上記特許文献１の発明の製品カタログであり、適用の詳細も記載してある。【０００６】
この非特許文献１によると、故障発生後数ミリ秒の極めて短時間の間に故障電流を接地回路に迂回して通電することで、故障部位のアークを消滅させる。その結果、故障部位の絶縁気体空間及び導体や絶縁物および筐体などの金属に注入されるアークエネルギは、極少化できるので、当該故障発生部位のアークによる損傷は極めて少なくなり、アーク電流の大きさにもよるが事故および事故原因の除去後は殆ど、そのままで設備稼働ができる程度で収まる場合もあるとされている。【０００７】
これら先行技術文献でアークエリミネータ（事故アーク除去装置）の主たる機器である高速投入装置（非特許文献１では  Primary  switching  unit  )は、アーク事故時の故障電流を１．５ミリ秒の極めて短時間で投入接地する装置で、スイッチギヤなどの装置における低圧または中圧、あるいは高圧の三相の電路と大地間に固定形あるいは引き出し形台車に搭載した形で、おのおの取り付けられる構造のもので、スイッチギヤの空きスペースや、必要に応じて、要所の電路を延長し、スイッチギヤを大きくして設置する。
引き出し台車に搭載した形のものは、予備遮断器など、通常は使用していない回線の遮断器を撤去して、その遮断器室に高速投入装置を搭載した引き出し形台車を挿入することで、簡単に設置できるものである。ただし、この方法を適用するには、予備の回線をアークエリミネータ機能に置き換える必要があり、受配電設備としての冗長性が低下することになる。また、この高速投入装置は故障電流の投入時に接点を溶着させることで、故障電路の電源側遮断器が遮断するまでの間、故障電流通電を行う構造であるため、１回の動作後には取り替えるようにしている。
【先行技術文献】
【特許文献】
【０００８】
【特許文献１】特許第５２５４３４０号公報
【非特許文献】
【０００９】
【非特許文献１】Medium  voltage  products  -  Catalogue  TK541/03  UFES  S3  -  Speed,  Safety,  Savings，（ドイツ国），ABB  AG，2012年，p.6-33
【発明の概要】
【発明が解決しようとする課題】
【００１０】
従来のものは、以上のように構成されているので、受配電設備の計画時に予め、電路の故障想定部位と、その想定部位にアーク故障が発生した場合に切り離す電路の範囲および事故後の設備復旧の迅速化、事故後の停電実施範囲などを総合的に検討して、要所に高速投入装置を設置することを計画する。特に昨今の受配電設備では、操業ロスの最小化のために、例え万が一の事故であっても事故電路以外の健全な電路回線の早期復電を求められる。【００１１】
このため、たとえば、母線電路以外の分岐電路における事故発生の場合を考えてみると、高速投入装置を母線部のみに取り付けた場合には、事故発生の分岐電路部を含めて、アークによる損傷は極めて少なくできるが、事故電流の大きさにもよるが、たとえば、比較的小さい電流の場合には、事故回線電路部位は、清掃と点検のみで、そのまま再使用して復電が出来る状態である場合や、事故当該回線電路は修理が必要であっても、その他の回線電路はそのままで復電して使用できる状態である時に、母線部に取り付けてある高速投入装置の取替えのために、その間は母線停電を余儀なくされることになる。【００１２】
したがって、高速投入装置は各電路区分毎に設置することが、設備復旧、復電の迅速化による全体の操業ロス低減に有効である。
ただし、高速投入装置を各電路区分毎に設置するためには、スイッチギヤなどの装置内で電路側通電導体の配置およびその絶縁空間距離の確保、接地側導体の配置に加え、高速投入装置の迅速な取り替えのための作業エリヤも含めてのスペース確保が必要で、スイッチギヤなどの装置が大型となる。【００１３】
また、既に運転している設備に、追加取り付けを行う場合には、大掛かりな改造工事が必要となる。
さらに、アーク故障発生による高速投入装置動作後の取替え作業に対しても、通電導体部、接地導体部、および、高速投入装置の固定部、駆動信号線などの接続部の解体、取り付け作業が必要で、その間の停電時間が長い。
【課題を解決するための手段】
【００１４】
この発明は、上記の問題を改善するためになされたもので、高速投入装置を絶縁支持物内に注型などの手段で埋め込みまたは絶縁支持物内に装着したアークエリミネータ付遮断器とし、そのアークエリミネータ付遮断器を引出し形として、要所の電路区分対応に組み込んだスイッチギヤで構成した受配電設備を提供するものである。
【発明の効果】
【００１５】
以上のような、アークエリミネータ付遮断器およびそれを適用した受配電設備は、通常の電路区分単位の保護区分を行う遮断器の代わりにアークエリミネータ付遮断器を搭載したスイッチギヤで構成されているため、スイッチギヤ内部の電路区画アークエリミネータ機能の主たる機器である高速投入装置を要所に取り付けるための設計配慮が不要で、そのためのスペース確保も不要であり、小型で設備計画がしやすい受配電設備を得ることが出来る。
また、既に運転を実施している受配電設備のスイッチギヤなどの装置に対して、アークエリミネータ機能を付加する場合には、光ファイバーなどのセンサを利用したアーク事故検出装置の設置および高速投入装置への駆動信号線の配置などの追加作業は必要であるが、スイッチギヤの構造や外形寸法に大きく影響する主回路電路およびスイッチギヤ筐体追加などの大幅な改造が不要で、引出し形遮断器をアークエリミネータ付遮断器に取り替えることで可能となり、追加改造に伴う設備停電期間の短縮ができるために、設備操業ロスの極少化を図ることができる。
さらに、万が一のアーク事故発生に伴う高速投入装置の動作で、取替えの場合にも、遮断器を引き出した状態で交換作業ができるので、作業性がよく短時間で出来るため設備の復電が早くできるので、操業ロスの減少ができる。なお、予備のアークエリミネータ付遮断器があれば、それと交換すればよいので、さらに早く復電できる効果がある。
【図面の簡単な説明】
【００１６】
【図１】本発明の実施の形態１に示すアークエリミネータ付遮断器を適用した受配電設備の一例を示す単線接続図である。
【図２】本発明の実施の形態１に示すアークエリミネータ付遮断器（片側形）の単線図記号を示す図である。
【図３】本発明の実施の形態１に示すアークエリミネータ付遮断器（片側形）の構造概念図である。
【図４】本発明の実施の形態１に示すアークエリミネータ付遮断器（両側形）の単線図記号を示す図である。
【図５】本発明の実施の形態１に示すアークエリミネータ付遮断器（両側形）の構造概念図である。
【図６】本発明の実施の形態２に示すアークエリミネータ付遮断器を適用した受配電設備の一例を示す単線接続図である。
【図７】本発明の実施の形態２に示すアークエリミネータ付遮断器（片側形）の単線図記号を示す図である。
【図８】本発明の実施の形態２に示すアークエリミネータ付遮断器（片側形）の構造概念図である。
【図９】本発明の実施の形態２に示すアークエリミネータ付遮断器（両側形）の単線図記号を示す図である。
【図１０】本発明の実施の形態２に示すアークエリミネータ付遮断器（両側形）の構造概念図である。
【発明を実施するための形態】
【００１７】
実施の形態１．
図１は、この発明を実施するための実施の形態１によるアークエリミネータ付遮断器とそれを適用した受配電設備の一例を示す単線接続図で、より具体的には変圧器二次の配電回路例を示す単線接続図である。
図１において、２は変圧器１から、この遮断器の遮断点までの三相の電路にアークエリミネータが設置できるよう遮断器の遮断点に対して片側にアークエリミネータ用高速投入装置を搭載し構成されたアークエリミネータ付遮断器（片側形）である。２００は、アークエリミネータ付遮断器２を挿脱可能に搭載したスイッチギヤ、３はアークエリミネータ用高速投入装置を遮断点両側に搭載したアークエリミネータ付遮断器（両側形）で、この遮断器の遮断点の両側の三相電路にアークエリミネータが設置できる。３００はアークエリミネータ付遮断器３を挿脱可能に搭載したスイッチギヤである。４はこの遮断器の遮断点から負荷側の三相電路にアークエリミネータが設置できるよう遮断点の片側にアークエリミネータ用高速投入装置を搭載し構成されたアークエリミネータ付遮断器（片側形）で、４００はアークエリミネータ付遮断器４を挿脱可能に搭載したスイッチギヤである。
【００１８】
図２はアークエリミネータ付遮断器（片側形）２を示す単線図記号である。図３はアークエリミネータ付遮断器（片側形）２の構造概念図である。
図２および図３で、２ａは遮断部、２ａ１は遮断部の極間絶縁体、２ｂは高速投入装置で、例えば特許文献１に示されるものであるが、高い絶縁性能を有する真空絶縁技術により小型であり、大気中の絶縁距離相当寸法の大きさで装置が構成してある。２ｂ１は高速投入装置の絶縁体であり、高速投入装置２ｂと一体で注型絶縁し、遮断部２ａ及びその極間絶縁体２ａ１や差込接触子導体２ｄなど遮断器２の電路部を絶縁ならびに機械的支持をする強度を持たせている。注型絶縁材料は、機械的強度および電気的性能から熱硬化性樹脂でエポキシ樹脂が使用されるが、他の樹脂あるいは熱可塑性樹脂であってもよい。また、高速投入装置２ｂは絶縁体２ｂ１と一体注型でなく、高速投入装置２ｂの絶縁体２ｂ１を注型または成型で製作した絶縁ケース状部品とし、高速投入装置２ｂをその内部に組み立てて着脱自在に構成したものでもよい。こうすると、高速投入装置動作後の取り替えは、高速投入装置２ｂだけを取り替えればよいので、絶縁体２ｂ１は再利用できるメリットがある。なお、非特許文献１に示すような、一体注型の場合は、構造がシンプルであるが、高速投入装置２ｂと絶縁体２ｂ１とを一体で取り替えて廃却することが必要である。
【００１９】
高速投入装置２ｂの片方は,遮断部２ａの片側の極につながる電路導体２ｄ（図３では下部側）とボルトなどの締結部材で電気的及び機械的に締結してある。高速投入装置２ｂの他方は接地導体回路２ｃでアークエリミネータ付遮断器２の本体接地接触子２ｃ１に接続してあり、スイッチギヤの遮断器室に装備してある接地端子２ｃ２を介してスイッチギヤの接地導体２ｃ３から大地へ事故電流を通電するよう構成してある。接地導体回路２ｃ（２ｃ１、２ｃ２、２ｃ３）は、ＩＥＣ（International  Electrotechnical  Commission）などのスイッチギヤや遮断器の規格に応じた短時間通電電流及び通電時間の通電能力を持たせてあり、高速投入装置２ｂとはボルトなどの取り付け取り外し可能な締結手段で締結されている。但し、２ｃ１と２ｃ２は摺動接触としている。
なお、高速投入装置２ｂは、遮断器２が繋がる電路にアーク事故が発生したとき、投入してアーク電流を迂回させて接地導体回路２ｃに流すことで事故電路部のアークを消滅させるものであって、投入動作１回ごとに取り替えを要するものである。
【００２０】
２ｅは支持絶縁物で、遮断部２ｂの他方の極およびそれにつながる電路導体（図３で上部側）２ｄを電気的機械的に支持する。支持絶縁物２ｅの外形及び取り付け部構造は、高速投入装置の絶縁体２ｂ１と同じ寸法と取り付け構造にしてある。上部及び下部の電路導体２ｄの先（図３で右端）は、スイッチギヤの電路端子（図示無し）に挿脱自在となるように構成された例えばチューリップコンタクト接触子である。２ｆは、アークエリミネータ付遮断器２をスイッチギヤ２００内などで移動させる便利のために設けてある車輪である。
図示はしていないが、遮断部の他方の極につながる電路導体（図３で上部側）に高速投入装置を設けた形のアークエリミネータ付遮断器（片側形）も部材の組み換えと接地側導体の追加だけで構成できるので、受配電設備の構成に応じて適宜選択できる。
【００２１】
図４はアークエリミネータ付遮断器（両側形）３を示す単線図記号である。図５はアークエリミネータ付遮断器（両側形）３の構造概念図である。
これは、遮断部３ａの両極に高速投入装置３ｂを装備した両極形である。それぞれの構成は、図２及び図３で説明した片側形のものと同じであり、詳細は省略する。
【００２２】
次に、アークエリミネータ付遮断器の適用について説明する。
万が一の、受配電設備内アーク事故が発生することを想定し、事故復旧までの受配電設備稼働率を最大化する受配電設備計画を立てる。この場合、一般的な単独取り付けの高速投入装置を、アーク事故の発生を想定する電路部位とその電路区画を他の健全な電路から切り離し事故後の設備復旧作業を含めた停電範囲の最小化および停電時間の最短化のために、設置する部位を検討し、それを設置するためのスペースや取り付け構造を検討し、スイッチギヤ１の配置計画をすることが必要となる。
しかしながら、本発明に係るアークエリミネータ付遮断器を用いることで、アークエリミネータ付遮断器を選定するだけで、スイッチギヤの全ての電路に高速投入装置の設置が出来る。万全を期して計画する場合には、遮断器をすべてアークエリミネータ付遮断器にすれば、漏れなくすべての電路にアークエリミネータ用高速投入装置が設置できる。
【００２３】
また、アークエリミネータ機能が組み込まれていない受配電設備に対し、事故時の被害軽減化、操業ロスの極少化の目的で、アークエリミネータ機能を追加する場合には、遮断器をアークエリミネータ付遮断器に交換するだけで済む。
【００２４】
次に、受配電設備で事故が発生した場合について説明する。
図１のフィーダ用スイッチギヤ４００の内部の電路でアーク事故（Ｆ１で示す）が発生した場合に、保護リレー（図示無し）およびアーク検出装置（図示無し）が動作して、当該電路のアークエリミネータ付遮断器４へ駆動信号を発信して、事故区間の電路を切り離して、被害損傷の局所化、極少化を図るように保護システムが働く。
【００２５】
一般の保護リレーによる保護システムでは、関連遮断器が動作して事故区間の切り離しを行うためには、事故発生後速くても１００ミリ秒程度の時間が経過する。設備容量が大きく、また故障インピーダンスが小さい設備の回路で事故電流が大きい場合には、アーク事故によるアークエネルギーが大きく、たとえ１００ミリ秒程度の事故継続であっても、事故発生の約１０数ミリ秒で放圧する様に作られた内部アークプルーフ構造のスイッチギヤであっても、スイッチギヤ区画内の爆発的な圧力上昇と、導体や区画を構成する金属類の溶融・蒸気化、絶縁物類の焼損・蒸気化などで、当該スイッチギヤ区画は勿論であるが、隣接するスイッチギヤ区画や隣接機器などへ多大な損傷をもたらすものであるが、アーク検出装置で高速投入装置を動作させることで、アーク事故発生から数ミリ秒で事故発生した電路を接地し、事故電流を接地回路へ迂回させることで、事故アークを消滅させるためのアークエリミネータ機能を設けることで、事故終了後にも殆ど損傷が無いスイッチギヤが確保できる。
この時に高速投入装置の動作は、速ければ速いほうが良いので、小型で高速動作化するために１回動作に限定した単純構造の性能としているので、事故除去後には、高速投入装置２ｂを新しいものと取り替えるようにしている。
【００２６】
この発明の、アークエリミネータ付遮断器を適用する受配電設備は、以上のように構成されているので、受配電設備の万が一のアーク事故を想定して、その場合での操業ロスの最小化を行う設備計画時の設計が簡単容易に出来る。また既設設備へのアークエリミネータ機能を付加する改造も簡単で安価にできるので、設備改造に伴う停電期間の短縮、改造費用の縮小化が図れる効果がある。
さらに、アークエリミネータ機能の設置を受配電設備全体の電路に対し、設備の大型化を伴うことなく、細かいメッシュで設置することが容易である。
また、アーク事故の発生に伴う高速投入装置動作後の取り換え作業も簡便であり、アーク事故が解消したのちの設備復旧が迅速に行えるので、停電時間が短く、操業ロスが少なくなる。
【００２７】
なお、ここでは、高速投入装置が１回の動作で交換する場合を例に示した。この場合は交換回数が多頻度に成ることから本実施の形態の効果が最大限に発揮されるが、高速投入装置が１回の動作で交換する必要が無い、例えば２回や３回以上での交換となる場合であっても、本実施の形態の効果が得られることは言うまでも無い。
【００２８】
実施の形態２．
図６から図１０は、実施の形態２によるアークエリミネータ付遮断器およびそれを適用した受配電設備を示す。
図６は、この発明を実施するための実施の形態２によるアークエリミネータ付遮断器とそれを適用した受配電設備の一例を示す単線接続図である。実施の形態２に示すアークエリミネータ付遮断器２０、３０、４０は、図７から図１０に示すように、高速投入装置が差し込み形のアークエリミネータ付遮断器となっており、アーク事故時の動作後に取り換えが必要な高速投入装置部のみを遮断器本体から装脱自在に改良したものである。
【００２９】
図８の２０ｇは差込接触部であり、遮断器２０の下側の電路２０ｄと高速投入装置２０ｂが、例えばチューリップコンタクトなどのように着脱自在の差込形接触子構造である。この場合は、高速投入装置の絶縁体２０ｂ１は、高速投入装置２０ｂとの一体注型ではなく、ケース状の注型あるいは成型物として構成されている。
なお、図９の差込接触部３０ｇも差込接触部２０ｇと同様の構造で、チューリップコンタクトなどのように着脱自在の差込形接触子構造となっている。その他は、実施の形態１で説明した内容と同様の構成である。
この実施の形態２は、実施の形態１に比べて、さらに復旧作業が容易であるため、復旧時の停電時間が少なくなり、操業ロスがさらに少なくなる効果がある。
【００３０】
実施の形態３．
実施の形態１および実施の形態２で説明したア−クエリミネータ付遮断器およびそれを適用した受配電設備では、アークエリミネータ付遮断器（片側形）とアークエリミネータ付遮断器（両側形）を電路区画に応じて使い分けをしているが、すべての遮断器をアークエリミネータ付遮断器（両側形）としてもよい。この場合は、さらに設備計画が容易であるほか、仮に母線部の高速投入装置（例示した図１や図６で母線用が１台しかない）が動作した場合には、他のフィーダ遮断器を代替で使用することも可能となる場合があり、事故時の復旧がさらに容易で復旧時の停電時間短縮に効果がある。
【００３１】
なお、本発明は、その発明の範囲内において、各実施の形態の一部または全部を自由に組み合わせたり、各実施の形態を適宜、変形、省略することが可能である。
【符号の説明】
【００３２】
１  変圧器、  ２  アークエリミネータ付遮断器（片側形）、２ａ  、３ａ、２０ａ、３０ａ    遮断部、２ａ１、３ａ１、２０ａ１、３０ａ１  遮断部の極間絶縁体、２ｂ  、３ｂ、２０ｂ、３０ｂ    高速投入装置、２ｂ１、３ｂ１、２０ｂ１、３０ｂ１  高速投入装置の絶縁支持物、２ｃ  、３ｃ、２０ｃ、３０ｃ    接地導体回路、２ｃ１、  ３ｃ１、２０ｃ１、３０ｃ１  接地接触子、２ｃ２、  ３ｃ２、２０ｃ２、３０ｃ２  接地端子導体（スイッチギヤ取り付け）、２ｃ３、  ３ｃ３、２０ｃ３、３０ｃ３  接地導体（スイッチギヤ取り付け）、２ｄ  、３ｄ、２０ｄ、３０ｄ    電路導体、２ｅ  、３ｅ、２０ｅ、３０ｅ    支持絶縁物、２ｆ  、３ｆ、２０ｆ、３０ｆ    車輪、３  アークエリミネータ付遮断器（両側形）、４  アークエリミネータ付遮断器（片側形）、２００、３００、４００    スイッチギヤ、２０  差込式アークエリミネータ付遮断器（片側形）、３０  差込式アークエリミネータ付遮断器（両側形）、２０ｇ、３０ｇ  差込接触部。
【図１】
2015178160.tif 000003
【図２】
2015178160.tif 000004
【図３】
2015178160.tif 000005
【図４】
2015178160.tif 000006
【図５】
2015178160.tif 000007
【図６】
2015178160.tif 000008
【図７】
2015178160.tif 000009
【図８】
2015178160.tif 000010
【図９】
2015178160.tif 000011
【図１０】
2015178160.tif 000012
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
遮断器が繋がる電路にアーク事故が発生したとき、投入してアーク電流を前記遮断器に設けられた本体接地接触子を介して迂回させて接地導体に流すことで事故電路部のアークを消滅させ、取り替えを要する高速投入装置を、上記遮断器の遮断部のいずれか片側極または両極に接続し、その極電路の絶縁支持物に組み込んで、全体を引き出し形としたことを特徴とするアークエリミネータ付遮断器。
【請求項２】
上記高速投入装置が上記絶縁支持物に一体注型してあることを特徴とする請求項１に記載のアークエリミネータ付遮断器。
【請求項３】
上記絶縁支持物を注型または成型で製作された絶縁ケース状部品として形成し、上記高速投入装置が上記絶縁ケース状部品として形成された上記絶縁支持物に組み込まれたことを特徴とする請求項１に記載のアークエリミネータ付遮断器。
【請求項４】
上記絶縁支持物を注型または成型で製作された絶縁ケース状部品として形成し、上記高速投入装置が上記絶縁ケース状部品として形成された上記絶縁支持物と着脱可能に組み立てされるとともに、上記高速投入装置は上記遮断器の電路導体部との通電接続部が差込形式で構成され、上記絶縁ケース状部品として形成された上記絶縁支持物を上記遮断器に固着した状態で上記高速投入装置の取り換えができるよう構成したことを特徴とする請求項１に記載のアークエリミネータ付遮断器。
【請求項５】
遮断器が繋がる電路にアーク事故が発生したとき、投入してアーク電流を前記遮断器に設けられた本体接地接触子を介して迂回させて接地導体に流すことで事故電路部のアークを消滅させ、取り替えを要する高速投入装置を、上記遮断器の遮断部のいずれか片側極または両極に接続し、その極電路の絶縁支持物に組み込んで、全体を引き出し形としたアークエリミネータ付遮断器を、要所の電路区分対応に組み込んだスイッチギヤで構成した受配電設備。
【請求項６】
母線部のスイッチギヤを上記高速投入装置が上記遮断器の遮断部の両極に接続された両側形のアークエリミネータ付遮断器で構成し、その他のスイッチギヤは上記高速投入装置が上記遮断器の遮断部のいずれか片側極に接続された片側形のアークエリミネータ付遮断器で構成したことを特徴とする請求項５に記載の受配電設備。
【請求項７】
母線部のスイッチギヤ及びその他のスイッチギヤを上記高速投入装置が上記遮断器の遮断部の両極に接続された両側形のアークエリミネータ付遮断器で構成したことを特徴とする請求項５に記載の受配電設備。
【手続補正２】
【補正対象書類名】図面
【補正対象項目名】図２
【補正方法】変更
【補正の内容】
【図２】
2015178160.tif 000013
【国際調査報告】
2015178160.tif 000014
2015178160.tif 000015
2015178160.tif 000016
2015178160.tif 000017